(57)【要約】      （修正有）【課題】ドラム作動時の安定性に欠けるといった欠点を解決した発芽野菜育成機を提供する。【解決手段】設置台と、前記設置台に取り付けられ、モーターと、伝動ユニットと、駆動軸及び所定間隔をおいて該駆動軸上に設置される２つのローラー部材を有すると共に、伝動ユニットを連結し、該モーターと組み合わされる２つの駆動ローラーユニットとを含む駆動装置と、前記ローラー部材の軸方向の両端に設置される複数の挟持板と、一端に形成される開口に着脱自在に透明な蓋が設けられると共に、外周面における両端部近傍にそれぞれレールが凸設される中空のドラム本体を含み、該レールを介してローラー部材に載置され、前記挟持板によって位置決めされる育成ドラムと、前記ドラム本体の開口と反対する端に設けられる水供給部と、該水供給部から延出して該ドラム本体の内部に進入し、複数のノズルが設けられる少なくとも１つの送水管を含む散水装置とを備えている。【選択図】図１
0003148894.tif 000002
【実用新案登録請求の範囲】
【請求項１】
設置台（１）と、
前記設置台（１）に取り付けられ、モーター（２３）と、伝動ユニット（２２）と、該設置台（１）に設置される駆動軸（２１１）及び所定間隔をおいて該駆動軸（２１１）上に設置される２つのローラー部材（２１２）を有すると共に、該設置台（１）上に所定間隔をおいて設けられ、伝動ユニット（２２）を連結し、該モーター（２３）と組み合わされる２つの駆動ローラーユニット（２１）とを含む駆動装置（２）と、
それぞれ前記ローラー部材（２１２）の軸方向の両端に設置される複数の挟持板（３）と、
一端に形成される開口（４２）に着脱自在に透明な蓋（４３）が設けられると共に、外周面における両端部近傍にそれぞれレール（４４）が凸設される中空のドラム本体（４１）を含み、該レール（４４）を介してローラー部材（２１２）に載置され、該ローラー部材（２１２）の両端の挟持板（３）によって位置決めされる育成ドラム（４）と、
前記ドラム本体（４１）の開口（４２）と反対する端に設けられる水供給部（５１）と、該水供給部（５１）から延出して該ドラム本体（４１）の内部に進入し、複数のノズル（５３）が設けられる少なくとも１つの送水管（５２）を含む散水装置（５）と、を備えていることを特徴とする発芽野菜育成機。
【請求項２】
前記ローラー部材（２１２）に座金（２１３）が環装されていることを特徴とする請求項１に記載の発芽野菜育成機。
【請求項３】
前記育成ドラム（４）におけるドラム本体（４１）の内部中央に中央軸（４５）が軸方向に沿って設けられ、該中央軸（４５）の外周からドラム本体（４１）の内周面にかけてドラム本体（４１）の内部を複数の空間に仕切るための複数の仕切り板（４６）が放射状に延設されていることを特徴とする請求項１または２に記載の発芽野菜育成機。
【請求項４】
前記複数の送水管（５２）はそれぞれ該ドラム本体（４１）内部の複数の空間に進入していることを特徴とする請求項３に記載の発芽野菜育成機。
【考案の詳細な説明】
【技術分野】
【０００１】
本考案は、発芽植物育成機に関し、特にドラム式であり、且つ回転作動の安定性に優れた発芽野菜育成機に関する。
【背景技術】
【０００２】
食用の発芽野菜には、数多くの種類があり、例えば緑豆、大豆、うまごやし、そば、豌豆等がある。これらの発芽野菜を発芽させるときには、陽射しを避け、一定の湿度を保って発芽に適した環境を作るために、種を栽培容器内に入れておく必要がある。
【０００３】
従来の発芽野菜育成機には、主にそれぞれ二つの係止板と該係止板の内側に位置する２つのローラーがそれぞれ設置された２本の伝動軸と、該２本の伝動軸を駆動する伝動ユニットが枢設される台座と、散水装置が設けられ、発芽野菜を栽培するための空間を有すると共に、両端部の近傍にそれぞれレールが突出するように環設され、該レールを介して前記伝動軸におけるローラーに載置され、前記係止板によって位置決めされるドラムと、を備える、回転式栽培容器がある。
【０００４】
また、前記従来の発芽野菜育成機を作動させる時は、伝動ユニットを作動させて伝動軸を回転駆動させることにより、ローラーを回転させてドラムのレールを連動させ、ドラムを回転させる。これにより、ドラムに入れられた発芽野菜は、ドラムの回転により常に引っ繰り返されるので、水が溜まるのを防止すると共に、一部の発芽野菜が下方に押されることによる育成不良を防ぐことができる。
【考案の開示】
【考案が解決しようとする課題】
【０００５】
しかしながら、前記従来の発芽野菜育成機においては、ローラーの側端に係止板が１つしか設置されていないことから、回転中にドラムが外力又は振動により設定位置からずれ易く、そのずれにより揺れが激しくなって、レールがローラーから外れ、ドラムが回転できなくなることがあった。
【０００６】
また、ローラーに座金を取り付けることにより、作動時の安定性を高めようとしていたが、上述したように、ローラーの側端には１つの係止板しか設置されていないので、該座金が作動中に所定の位置から外れ易く、座金がローラーから外れてしまうと、該ドラムが脱落してその外周が係止板と接触してしまう。そして、そのまま回転し続けると、ドラムの外周と係止板が破損してしまうことから、修繕を施す必要があるため、コストの上昇に繋がっていた。故に、前記従来の発芽野菜育成機には、作動時の安定性において更に改良の余地があった。
【０００７】
そこで、案出されたのが本考案であって、従来の発芽野菜育成機における、ドラム作動時の安定性に欠けるといった欠点を解決できる発芽野菜育成機を提供することを目的としている。
【課題を解決するための手段】
【０００８】
本願の請求項１の考案は、設置台（１）と、前記設置台（１）に取り付けられ、モーター（２３）と、伝動ユニット（２２）と、該設置台（１）に設置される駆動軸（２１１）及び所定間隔をおいて該駆動軸（２１１）上に設置される２つのローラー部材（２１２）を有すると共に、該設置台（１）上に所定間隔をおいて設けられ、伝動ユニット（２２）を連結し、該モーター（２３）と組み合わされる２つの駆動ローラーユニット（２１）とを含む駆動装置（２）と、それぞれ前記ローラー部材（２１２）の軸方向の両端に設置される複数の挟持板（３）と、一端に形成される開口（４２）に着脱自在に透明な蓋（４３）が設けられると共に、外周面における両端部近傍にそれぞれレール（４４）が凸設される中空のドラム本体（４１）を含み、該レール（４４）を介してローラー部材（２１２）に載置され、該ローラー部材（２１２）の両端の挟持板（３）によって位置決めされる育成ドラム（４）と、前記ドラム本体（４１）の開口（４２）と反対する端に設けられる水供給部（５１）と、該水供給部（５１）から延出して該ドラム本体（４１）の内部に進入し、複数のノズル（５３）が設けられる少なくとも１つの送水管（５２）を含む散水装置（５）と、を備えていることを特徴とする発芽野菜育成機、を提供する。
【０００９】
本願の請求項２の考案は、前記ローラー部材（２１２）に座金（２１３）が環装されていることを特徴とする請求項１に記載の発芽野菜育成機、を提供する。
【００１０】
本願の請求項３の考案は、前記育成ドラム（４）におけるドラム本体（４１）の内部中央に中央軸（４５）が軸方向に沿って設けられ、該中央軸（４５）の外周からドラム本体（４１）の内周面にかけてドラム本体（４１）の内部を複数の空間に仕切るための複数の仕切り板（４６）が放射状に延設されていることを特徴とする請求項１または２に記載の発芽野菜育成機、を提供する。
【００１１】
本願の請求項４の考案は、前記複数の送水管（５２）はそれぞれ該ドラム本体（４１）内部の複数の空間に進入していることを特徴とする請求項３に記載の発芽野菜育成機、を提供する。
【考案の効果】
【００１２】
本考案は上記の課題を解決するものであり、ローラー部材の両端部に挟持板が設置されていることから、該育成ドラムがレールを介して駆動装置のローラー部材に安定的に載置され、即ち、該レールがローラー部材による駆動によって回転するとき、挟持板により安定的に位置決めされることから、所定の位置から脱落することはない。故に、本考案によれば、破損または故障を防ぐことができるので、作動時の安定性を向上させることができる。
【考案を実施するための最良の形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１は本考案に係る発芽野菜育成機を示す斜視透視図であり、図２は本考案に係る発芽野菜育成機を示す正面透視図であり、図３は本考案に係る発芽野菜育成機を示す側面部分透視図であり、図４は本考案に係る発芽野菜育成機のローラー部材（２１２）を示す部分拡大側面断面図であり、図５は本考案に係る発芽野菜育成機の散水装置（５）を示す部分拡大断面図である。
【００１５】
図１乃至図４に示すように、本考案に係る発芽野菜育成機は、設置台（１）と、駆動装置（２）と、８つの挟持板（３）と、育成ドラム（４）と、散水装置（５）と、を備えている。
【００１６】
本実施例においては、前記設置台（１）は、複数のロッドからなる枠体である台座（１１）を含み、該台座（１１）における両側端の上方にそれぞれ２つの枢設部（１２）が所定間隔をおいて設けられている。
【００１７】
前記駆動装置（２）は、設置台（１）に設置されるモーター（２３）と、駆動軸（２１１）、及び該駆動軸（２１１）における両端近傍にそれぞれ設置されるローラー部材（２１２）を有すると共に、前記設置台（１）における枢設部（１２）に枢設される２つの駆動ローラーユニット（２１）と、該２つの駆動軸（２１１）の一端と該モーター（２３）の駆動軸（２１１）とを連結し、該モーター（２３）が作動すると、その駆動力が伝動ユニット（２２）を介して伝達され駆動軸（２１１）とローラー部材（２１２）を回転させる伝動ユニット（２２）と、を含んでいる。
【００１８】
前記８つの挟持板（３）は、前記駆動装置（２）におけるローラー部材（２１２）の軸方向の両端に位置するように前記駆動軸（２１１）に螺設されている。
【００１９】
前記育成ドラム（４）は、一端に開口（４２）を有し、該開口（４２）に着脱自在且つ透明な蓋（４３）が螺設されると共に、外周面における両端部近傍にそれぞれレール（４４）が凸設される、内部において発芽野菜を育成するための中空のドラム本体（４１）を含んでいる。また、図３及び図４に示すように、育成ドラム（４）は、該レール（４４）を介してローラー部材（２１２）に載置されると共に、該ローラー部材（２１２）の両端に設置された挟持板（３）により位置決めされている。
【００２０】
また、図１及び図２に示す本実施例においては、ドラム本体（４１）の内部中央に、軸方向に沿って両端部まで延伸する中央軸（４５）が設けられ、該中央軸（４５）の外周からドラム本体（４１）の内周面にかけて、複数の空間に仕切るための複数の仕切り板（４６）が放射状に延出してドラム本体（４１）の内部を４つの空間に仕切っている。
【００２１】
図１及び図５に示すように、散水装置（５）は、ドラム本体（４１）における開口（４２）と反対する端に水供給部（５１）が設けられ、該水供給部（５１）にはドラム本体（４１）の内部へ延出するように少なくとも１本の送水管（５２）が設けられている。尚、本実施例においては、水供給部（５１）に４本の送水管（５２）が延設され、それらの送水管（５２）はそれぞれ、ドラム本体（４１）における４つの空間に進入すると共に、複数のノズル（５３）が設けられ、更に、該水供給部（５１）は水供給源に接続され、その供給された水が該ノズル（５３）から散布されることにより、空間内の発芽野菜に水が供給される。
【００２２】
また、前記各ローラー部材（２１２）に更に緩衝作用を有する座金（２１３）が環装されることから、育成ドラム（４）のレール（４４）とローラー部材（２１２）との接触面が平坦状となるので、育成ドラム（４）の回転により生じた振動を低減することができ、振動による破損や故障を防ぐことができる。
【産業上の利用可能性】
【００２３】
本考案は上記の構成を有することから、育成ドラムのレールは、ローラー部材の両端に設置される挟持板により位置決めされているので、設定位置からずれたり脱落することはなく、また、ローラー部材には座金が環装されていることから、育成ドラムの回転時に生じる振動を低減させることができ、作動時の安定性を向上させることができるので、破損または故障を防ぐことができる。
【図面の簡単な説明】
【００２４】
【図１】本考案に係る発芽野菜育成機を示す斜視透視図である。
【図２】本考案に係る発芽野菜育成機を示す正面透視図である。
【図３】本考案に係る発芽野菜育成機を示す側面部分透視図である。
【図４】本考案に係る発芽野菜育成機のローラー部材を示す部分拡大側面断面図である。
【図５】本考案に係る発芽野菜育成機の散水装置を示す部分拡大断面図である。
【符号の説明】
【００２５】
１  設置台
１１  台座
１２  枢設部
２  駆動装置
２１  駆動ローラーユニット
２１１  駆動軸
２１２  ローラー部材
２１３  座金
２２  伝動ユニット
２３  モーター
３  挟持板
４  育成ドラム
４１  ドラム本体
４２  開口
４３  蓋
４４  レール
４５  中央軸
４６  仕切り板
５  散水装置
５１  水供給部
５２  送水管
５３  ノズル
【図１】
0003148894.tif 000003
【図２】
0003148894.tif 000004
【図３】
0003148894.tif 000005
【図４】
0003148894.tif 000006
【図５】
0003148894.tif 000007